【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
識別情報の可変表示の表示結果として特定表示結果が導出されたときに遊技者にとって有利な有利状態に制御する遊技機であって、
普通識別情報を可変表示する普通可変表示装置と、
遊技媒体が入賞しやすい状態と入賞しがたい状態とに制御可能な普通可変入賞装置と、
前記普通可変表示装置に所定表示結果が導出されたときに、前記普通可変入賞装置を遊技媒体が入賞しやすい状態に制御する普通可変入賞装置制御手段と、
少なくとも前記特定表示結果が導出されること、または前記所定表示結果が導出されるか否かを報知する所定演出を行う所定演出実行手段と、
前記所定演出実行手段により前記所定表示結果が導出されるか否かを報知する前記所定演出が実行されたが前記所定表示結果が導出されない場合に、特典を付与可能な特典付与手段とを備え、
１回の識別情報の可変表示中において、特典を付与した後に再度特典を付与することを制限する
ことを特徴とする遊技機。
【手続補正２】
【補正対象書類名】明細書
【補正対象項目名】０００１
【補正方法】変更
【補正の内容】
【０００１】
本発明は、識別情報の可変表示の表示結果として特定表示結果が導出されたときに遊技者にとって有利な有利状態に制御するパチンコ遊技機やスロット機等の遊技機に関する。
【手続補正３】
【補正対象書類名】明細書
【補正対象項目名】０００４
【補正方法】変更
【補正の内容】
【０００４】
パチンコ遊技機では、特定表示結果が導出表示された場合に有利状態（例えば、大当り遊技状態）に制御される。なお、導出表示とは、識別情報（図柄）を最終的に停止表示させることである。有利状態では、特別可変入賞装置（大入賞口）が所定回数開放して遊技球が入賞しやすい状態になる。そして、各開放期間において、所定個（例えば１０個）の大入賞口への入賞があると大入賞口は閉成する。以下、各々の大入賞口の開放している期間をラウンドということがある。
【手続補正４】
【補正対象書類名】明細書
【補正対象項目名】０００８
【補正方法】変更
【補正の内容】
【０００８】
そこで、本発明は、普通識別情報の表示結果として所定表示結果が導出されない場合に遊技の興趣を向上させることを目的とする。
【手続補正５】
【補正対象書類名】明細書
【補正対象項目名】０００９
【補正方法】変更
【補正の内容】
【０００９】
（１）本発明による遊技機は、識別情報の可変表示の表示結果として特定表示結果が導出されたときに遊技者にとって有利な有利状態に制御する遊技機であって、普通識別情報（例えば、普通図柄）を可変表示する普通可変表示装置（例えば、普通図柄表示器１０）と、遊技媒体が入賞しやすい状態と入賞しがたい状態とに制御可能な普通可変入賞装置（例えば、可変入賞球装置１５）と、普通可変表示装置に所定表示結果（例えば、当り図柄）が導出されたときに、普通可変入賞装置を遊技媒体が入賞しやすい状態に制御する普通可変入賞装置制御手段（例えば、遊技制御用マイクロコンピュータ５６０において、ステップＳ４５３〜Ｓ４５５の処理を実行する部分）と、少なくとも特定表示結果が導出されること、または所定表示結果が導出されるか否かを報知する所定演出（例えば、普通図柄連動予告）を行う所定演出実行手段（例えば、演出制御用マイクロコンピュータ１００において、ステップＳ５２９，Ｓ５３３の処理を実行する部分）と、所定演出実行手段により所定表示結果が導出されるか否かを報知する所定演出が実行されたが所定表示結果が導出されない場合に、特典を付与可能な特典付与手段（例えば、演出制御用マイクロコンピュータ１００において、ステップＳ７４７，Ｓ７４９，Ｓ５５４，Ｓ５６３，Ｓ５６４，Ｓ１９０７，Ｓ１９０９の処理を実行する部分）とを備え、１回の識別情報の可変表示中において、特典を付与した後に再度特典を付与することを制限することを特徴とする。
そのような構成によれば、普通識別情報の表示結果として所定表示結果が導出されない場合に、遊技の興趣が低下することを防止することができる。
【手続補正６】
【補正対象書類名】明細書
【補正対象項目名】００１０
【補正方法】変更
【補正の内容】
【００１０】
（２）上記の（１）の遊技機において、特典付与手段によって付与される特典は、演出の内容を変化させるものであり（例えば、擬似連演出と確変昇格演出との違い）、演出の内容を複数種類の内容のうちから選択する演出選択手段（例えば、演出制御用マイクロコンピュータ１００において、ステップＳ７４５〜Ｓ７４９の処理を実行する部分）を備えていてもよい。
そのような構成によれば、遊技者が変化させる対象を選択することができるので、遊技の興趣を向上させることができる。
【手続補正７】
【補正対象書類名】明細書
【補正対象項目名】００１１
【補正方法】変更
【補正の内容】
【００１１】
（３）上記の（１）または（２）の遊技機において、特典付与手段によって付与される特典を用いて実行される演出は、例えば、特典が付与されないときには実行されない特別の演出であってもよい（図５２（Ｃ），（Ｇ）、図５９（Ｃ）［図５８（Ｃ）に示す２つの画像９ｄ，９ｅに対して１つの画像９ｅ］参照）。
そのような構成によれば、特別の演出によって遊技者に何らかの利益が与えられたかのように感じさせることができ、遊技の興趣を向上させることができる。
【手続補正８】
【補正対象書類名】明細書
【補正対象項目名】００１２
【補正方法】変更
【補正の内容】
【００１２】
（４）上記の（３）の遊技機において、識別情報（例えば、特別図柄、飾り図柄）の可変表示の演出態様である可変表示パターンを、複数種類の可変表示パターンのうちから選択する可変表示パターン選択手段（例えば、遊技制御用マイクロコンピュータ５６０において、ステップＳ９７，Ｓ９８，Ｓ９９，Ｓ１０２，Ｓ１０３，Ｓ１０５の処理を実行する部分）と、可変表示パターン選択手段が選択した可変表示パターンに基づいて、識別情報の可変表示を実行する可変表示制御手段（例えば、演出制御用マイクロコンピュータ１００において、ステップＳ８３１〜Ｓ８３３，Ｓ８４１〜Ｓ８４９の処理を実行する部分）とを備え、複数種類の可変表示パターンは、識別情報の可変表示が開始されてから表示結果が導出表示されるまでに一旦非特定表示結果となる特定の識別情報（例えば、チャンス目図柄）を仮停止させた後に識別情報の可変表示を再度実行する再変動が１回または複数回実行され、その後にリーチ演出が実行される再可変表示パターン（例えば、擬似連演出を伴う変動パターン）を含み、特典付与手段によって付与される特典を用いて実行される演出は、可変表示制御手段が再可変表示パターンにより識別情報の可変表示を実行しているときに、特定の識別情報とは異なる非特定の識別情報（例えば、チャンス目図柄ではないはずれ図柄またはリーチ図柄）を仮停止させる特別の演出であるように構成されていてもよい。
そのような構成によれば、識別情報の再変動が終了してしまったように遊技者に見せかけた後に再び再変動が実行されるので、遊技の興趣を向上させることができる。
【手続補正９】
【補正対象書類名】明細書
【補正対象項目名】００１３
【補正方法】変更
【補正の内容】
【００１３】
（５）上記の（３）の遊技機において、所定の移行条件が成立したときに通常状態であるときに比べて識別情報の可変表示が特定表示結果となりやすい特別状態（例えば、確変状態）に移行させる遊技機であって、可変表示手段における識別情報の表示結果を特定表示結果にするか否かと移行条件を成立させるか否かとを、可変表示の表示結果を導出表示する前に決定する事前決定手段（例えば、遊技制御用マイクロコンピュータ５６０において、ステップＳ６１，Ｓ７２の処理を実行する部分）と、事前決定手段により表示結果を特定表示結果にすることに決定され、可変表示実行手段により特定表示結果が導出表示されたときに、有利状態に制御する有利状態制御手段（例えば、遊技制御用マイクロコンピュータ５６０において、ステップＳ１３３〜Ｓ１３９の処理を実行する部分）と、有利状態において、移行条件が成立したか否かを報知する移行条件報知演出（例えば、確変昇格演出）を実行する特別条件報知演出実行手段（例えば、演出制御用マイクロコンピュータ１００において、ステップＳ１９０４〜Ｓ１９１１の処理を実行する部分）とを備え、特典付与手段によって付与される特典を用いて実行される演出は、特典が付与されないときには実行されない特別の移行条件報知演出（例えば、図５９に示す特別の確変昇格演出）と、事前決定手段が移行条件を成立させないことに決定したときに有利状態において実行される移行条件報知演出とは異なる演出（例えば、図６０に示す特定演出）とであるように構成されていてもよい。
そのような構成によれば、移行条件を成立させないことに決定されている場合でも、移行条件報知演出とは異なる演出が実行されることによって、移行条件の成立に対する遊技者の期待感を持続させることができる。
【手続補正１０】
【補正対象書類名】明細書
【補正対象項目名】００１４
【補正方法】変更
【補正の内容】
【００１４】
（６）上記の（１）〜（５）の遊技機において、所定演出実行手段が所定演出を実行した後、可変表示手段に識別情報の表示結果が導出表示されるまでの間、所定演出の実行を制限する所定演出実行制限手段（例えば、演出制御用マイクロコンピュータ１００において、ステップＳ５３９，Ｓ５３５の処理を実行する部分）をさらに備えていてもよい。
そのような構成によれば、所定演出が複数回実行されて遊技者を混乱させてしまうことを防止でき、好適な所定演出を行うことが可能になる。なお、所定演出の実行の制限は、実行を禁止することに限られず、演出の一部（複数種類の演出のうちの一部や一の演出における演出内容の一部など）を実行しないようにすることや、実行の回数や頻度を少なくすることも含む。
また、所定演出実行手段は、所定演出と関連付けて所定演出を実行することが好ましい。また、所定演出を実行するときに、可変表示手段における識別情報の変動時間の残り時間に応じて演出態様を決定するようにしてもよい。